(57)【特許請求の範囲】
【請求項１】
採取された砂礫をコンクリート用の骨材に適するものである選別砂礫と、前記骨材に適さないものである、前記採取された砂礫中に混在する木片、プラスチック片、ごみ、及び、泥を含む木片の全部又は一部からなる混入物とに分離するための比重選別に使われる重液であって、
前記選別砂礫の比重より小さくかつ前記混入物の比重より大きい比重を有し前記選別砂礫を沈降させまた前記混入物を浮上させる、硬化を遅らせるための遅延剤が添加されたセメントミルクからなる、重液。
【請求項２】
前記セメントミルクはその粘度を低減するために添加された分散剤を含む、請求項１に記載の重液。
【請求項３】
請求項１又は２に記載の重液を槽内に溜めること、
前記槽内の重液中に採取された砂礫を投入すること、
前記採取された砂礫のうち前記槽内の重液中を沈降した、コンクリート用の骨材に適するものである選別砂礫と、前記重液中を浮上した、前記骨材に適さないものである、前記採取された砂礫中に混在する木片、プラスチック片、ごみ、及び、泥を含む木片の全部又は一部からなる混入物とをそれぞれ前記槽外へ取り出すことを含む、比重選別方法。
【請求項４】
前記採取された砂礫は河床砂礫からなる、請求項３に記載の比重選別方法。
【発明の詳細な説明】
【技術分野】
【０００１】
本発明は、採取された砂礫からコンクリート用の骨材に適さない木片、プラスチック片、ごみ等からなる混入物を分離するための比重選別方法及びこれに用いられる重液に関する。
【背景技術】
【０００２】
コンクリート用の骨材として採取される砂礫には、通常、前記骨材としての使用に適さない木片、プラスチック片、ごみ等からなる混入物が存する。このため、従来、採取された砂礫を水中に浸漬し、水より小さい比重を有する前記混入物を水面上に浮き上がらせ（比重選別）、これを取り除くことが行われている（後記特許文献１〜３参照）。
【先行技術文献】
【特許文献】
【０００３】
【特許文献１】特開平８−１５５３３０号公報
【特許文献２】特開平８−１８７４４８号公報
【特許文献３】特開２００１−９６１８６号公報
【発明の開示】
【発明が解決しようとする課題】
【０００４】
ところで、採取される砂礫が例えば河床砂礫である場合、当該採取砂礫中には、河床の泥を含みこのために水より大きい比重を有する木片が含まれている。このような木片は水面上に浮き上がらないため、水を用いた比重選別によってはこれを取り除くことができない。
【０００５】
本発明の目的は、コンクリート用骨材として採取される砂礫から、これに含まれている比較的高比重の泥含有の木片のような混入物を分離するための比重選別方法及びこれに用いられる重液を提供することにある。
【課題を解決するための手段】
【０００６】
本発明にあっては、採取された砂礫（採取砂礫）をコンクリート用の骨材に適するものである選別砂礫と、前記骨材に適さないものである、前記採取砂礫中に混在する木片、プラスチック片、ごみ、及び、泥を含む木片の全部又は一部からなる混入物とに分離するための比重選別に使われる重液が、前記選別砂礫の比重より小さくかつ前記混入物の比重より大きい比重を有し前記選別砂礫を沈降させまた前記混入物を浮上させる、硬化を遅らせるための遅延剤が添加されたセメントミルクからなる。
【０００７】
本発明によれば、重液が前記選別砂礫の比重より小さくかつ前記混入物の比重より大きい比重を有し前記選別砂礫を沈降させまた前記混入物を浮上させる、硬化を遅らせるための遅延剤が添加されたセメントミルクからなることから、これを前記採取砂礫についての比重選別に用いるとき、前記採取砂礫中に存するコンクリート用の骨材に適さない混入物として、前記セメントミルクからなる重液より低比重の木片、プラスチック片等に加えて、より高比重の例えば泥含有の木片をも重液面上に浮上させることができる。前記セメントミルクの比重の大きさは、前記採取砂礫に含まれる混入物の種類、比重の大きさ等を考慮して定めることができる。
【０００８】
前記セメントミルクからなる重液を用いる前記採取砂礫についての比重選別は、前記重液を槽内に溜め、その後、前記槽内の重液中に前記採取砂礫を投入し、この採取砂礫のうち前記槽内の重液中を沈降した、コンクリート用の骨材に適するものである選別砂礫と、前記重液中を浮上した、前記骨材に適さないものである、前記採取された砂礫中に混在する木片、プラスチック片、ごみ、及び、泥を含む木片の全部又は一部からなる混入物とをそれぞれ前記槽外へ取り出すことにより行う。前記槽中への前記重液の供給は、比較的低い粘性を有する重液については通常の液体ポンプを用いて、また、比較的高い粘性を有する重液については例えばコンクリートポンプを用いて行うことができる。
【０００９】
本発明によれば、前記槽外に取り出された、前記採取砂礫のうち前記槽内の前記セメントミルクからなる重液中を沈降した選別砂礫をコンクリート用の骨材として使用することができる。前記槽外に取り出された選別砂礫は、必要に応じて、これに付着した前記重液を除去するために真水で洗浄することができる。また、前記セメントミルクはその粘度を低減するために添加された分散剤を含むものとすることができる。
【図面の簡単な説明】
【００１０】
【図１】本発明に係る比重選別方法を概略的に示す図である。
【発明を実施するための形態】
【００１１】
図１を参照すると、採取された砂礫（採取砂礫）１０を、重液１２を用いて行う比重選別により、コンクリート用の骨材に適するものである砂礫（選別砂礫）１４と、前記骨材に適さないものである、前記採取砂礫中に混在する木片、プラスチック片、ごみ、泥を含む木片等からなる混入物１６とに分離する方法を実施するための一形態が概念的に示されている。
【００１２】
採取砂礫１０は、前記比重選別のために、例えばベルトコンベヤのような搬送装置１８を用いて、重液１２が予め溜められた槽２０に向けて運ばれ、ホッパ２２を介して、槽２０内の重液１２中に投入される。図示のホッパ２２は、槽２０の頂部を経て槽２０の内外を上下方向へ伸び、その下方の一部において重液１２に浸かっている。
【００１３】
前記比重選別に使用される重液１２は、採取砂礫１０を水（真水）に浸したときにおける両者の全体的な比重（すなわち、採取砂礫１０と前記水との混合物の比重）より大きい比重を有する。重液１２は、例えば、塩、ベントナイト、硫酸バリウム又はセメントを成分とする水溶液であって、１．１〜２．０の比重を有する水溶液からなる。前記水溶液の成分及び比重の大きさは、採取砂礫１０の採取場所、採取砂礫１０中に混在する混入物１６の種類、比重の大きさ等を考慮して、定めることができる。混入物１６の比重は、測定により予めその値を知ることができる。
【００１４】
重液１２は槽２０外に配置された容器２４に収容されている。容器２４内の重液は、該容器と槽２０とに接続された管２６を通して、管２６に取り付けられたポンプ２８の作動により槽２０に送られ、槽２０内に貯留される。重液１２が比較的小さい粘度を有するものであるとき、ポンプ２８及び後記ポンプ３８は、例えば軸流ポンプのような液体ポンプからなるものとすることができる。また、重液１２が比較的高い粘度を有するとき、ポンプ２８及び後記ポンプ３８は、例えばコンクリートポンプからなるものとすることができる。
【００１５】
槽２０内に貯留された重液１２中に投入され、重液１２に浸漬された採取砂礫１０は、これを構成する物の内、重液１２の比重より小さいものが重液１２中を重液面に向けて浮上し、他方、重液１２の比重より大きいものが重液１２中を重液底に向けて沈降する。
【００１６】
採取砂礫１０中の物のうち、前記重液面上に浮上したものが混入物１６であり、前記重液底に沈降したものが選別砂礫１４である。なお、重液１２は、これが比較的高い粘性を有するものであるとき、混入物１６に対してその上昇を妨げる作用をなす。そこで、好ましくは、槽２０又は槽２０中の後記移送装置４２を振動させて槽２０中の重液１２に振動を生じさせる。これにより、重液１２中の混入物１６が浮き上がりやすいようにすることができる。
【００１７】
混入物１６は、槽２０の側部に設けられた開口２９を通して槽２０の外部に溢れ出る重液１２の一部と共に、槽２０外に設置されたスクリーン３０上に排出され、これにより槽２０外に取り出される。図示の例にあっては、槽２０の開口２９からその下方に位置するスクリーン３０に向けて下方に傾斜する案内板４０が配置されており、混入物１６は案内板４０上を経てスクリーン３０上に至る。また、図示の例にあっては、スクリーン３０は下方に向けて傾斜した状態に置かれており、スクリーン３０上に排出され堆積した混入物１６は、地面３２上に滑り落ちあるいは滑り落とされる。
【００１８】
また、排出された混入物１６に付着している重液１２の一部は、スクリーン３０上にあるとき、該スクリーンを通して滴下する。滴下する重液１２の一部は、スクリーン３０の下方に設置された受液容器３４内に貯められ、受液容器３４に接続された管３６を通して、管３６に取り付けられたポンプ３８の作動により、重液１２の容器２４内に戻される。
【００１９】
他方、選別砂礫１４は、これを槽２０の内部からその外部へと移送され、これにより、槽２０外に取り出される。選別砂礫１４の移送のため、槽２０内に、バケットコンベヤ、ベルトコンベヤ等からなる移送装置４２が配置されている。移送装置４２は、槽２０内を該槽の底部から頂部に向けて斜め上方へ伸び、その先端部において、槽２０の頂部に設けられた開口４４を経て槽２０の外部に突出している。移送装置４２は、その大部分において、槽２０内の重液１２に浸かっている。
【００２０】
これによれば、重液１２中を沈降した及び沈降途次にある選別砂礫１４がそれぞれ移送装置４２上に引き寄せられまた落下し、槽２０の内部から該槽の外部に送られ、最終的に、移送装置４２から地面３２上に落下し、堆積する。
【００２１】
重液１２は前記混合物（採取砂礫１０と水との混合物）より大きい比重を有することから、前記従来の水による比重選別に比べて、採取砂礫１０からこれに含まれる混入物１６を、比重の上でまた種類の上でより広範囲にわたり、分離することができる。また、前記水による比重選別が不可能であった前記泥含有の木片のような比較的高比重の混入物１６の採取砂礫１０中からの除去をも可能とする。
【００２２】
槽２０外に排出される選別砂礫１０は、これに付着した重液１０の一部を除去するため、例えば移送装置４２の先端部から放出された直後に、これに真水４６を噴射し、洗浄することができる。また、重液１２として、前記セメントを成分とする水溶液（セメントミルク）を使用するときは、その硬化を遅らせるための遅延剤、前記水溶液の粘度を低減するための分散剤等を前記水溶液中に添加することができる。
【符号の説明】
【００２３】
１０  砂礫（採取砂礫）
１２  重液
１４  砂礫（選別砂礫）
１６  混入物
２０  槽
２４  重液の収容容器
４６  真水
【図１】
0006480734.tif 000002